(57)【要約】【課題】ハンドオーバパラメータを用いた基地局間負荷分散を行う場合に「Ping-Pong ハンドオーバ」の防止や高速移動中のハンドオーバに適応すること。【解決手段】低負荷の第１の基地局から高負荷の第２の基地局へのハンドオーバタイミングを調整するためのハンドオーバパラメータを出力する際に、標準ハンドオーバタイミングよりも遅いハンドオーバタイミングに調整するための第１の変更ハンドオーバパラメータを記憶する記憶部１２と、移動端末のハンドオーバの状況を把握する端末管理部１５と、ハンドオーバパラメータの通知先である移動端末が第２の基地局から第１の基地局へハンドオーバを実行中である場合には第１の変更ハンドオーバパラメータを出力する出力部１３と、を備える。【選択図】図１
2014086915.tif 000002
【特許請求の範囲】
【請求項１】
低負荷と判断された第１の基地局から高負荷と判断された第２の基地局へのハンドオーバタイミングを調整するためのハンドオーバパラメータを出力するハンドオーバパラメータ通知装置において、
標準ハンドオーバタイミングよりも遅いハンドオーバタイミングに調整するための第１の変更ハンドオーバパラメータを記憶する記憶部と、
移動端末のハンドオーバの状況を把握する端末管理部と、
ハンドオーバパラメータの通知先である移動端末が前記第２の基地局から前記第１の基地局へハンドオーバを実行中である場合には前記第１の変更ハンドオーバパラメータを出力する出力部と、
を備えたことを特徴とするハンドオーバパラメータ通知装置。
【請求項２】
低負荷と判断された第１の基地局から高負荷と判断された第２の基地局へのハンドオーバタイミングを調整するためのハンドオーバパラメータを出力するハンドオーバパラメータ通知装置において、
標準ハンドオーバタイミングよりも遅いハンドオーバタイミングに調整するための第１の変更ハンドオーバパラメータを記憶する記憶部と、
移動端末に係る接続基地局および前記第１の基地局への接続時間を把握する端末管理部と、
ハンドオーバパラメータの通知先である移動端末の直前の接続基地局が前記第２の基地局であり、且つ、当該移動端末の前記第１の基地局への直近の接続時間が規定値以内である場合には前記第１の変更ハンドオーバパラメータを出力する出力部と、
を備えたことを特徴とするハンドオーバパラメータ通知装置。
【請求項３】
高負荷と判断された第２の基地局から低負荷と判断された第１の基地局へのハンドオーバタイミングを調整するためのハンドオーバパラメータを出力するハンドオーバパラメータ通知装置において、
標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶する記憶部と、
移動端末のハンドオーバの状況を把握する端末管理部と、
ハンドオーバパラメータの通知先である移動端末が前記第１の基地局から前記第２の基地局へハンドオーバを実行中である場合には前記標準ハンドオーバパラメータを出力し、そうでない場合には前記第２の変更ハンドオーバパラメータを出力する出力部と、
を備えたことを特徴とするハンドオーバパラメータ通知装置。
【請求項４】
高負荷と判断された第２の基地局から低負荷と判断された第１の基地局へのハンドオーバタイミングを調整するためのハンドオーバパラメータを出力するハンドオーバパラメータ通知装置において、
標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶する記憶部と、
移動端末に係る接続基地局および前記第２の基地局への接続時間を把握する端末管理部と、
ハンドオーバパラメータの通知先である移動端末の直前の接続基地局が前記第１の基地局であり、且つ、当該移動端末の前記第２の基地局への直近の接続時間が規定値以内である場合には前記標準ハンドオーバパラメータを出力し、そうでない場合には前記第２の変更ハンドオーバパラメータを出力する出力部と、
を備えたことを特徴とするハンドオーバパラメータ通知装置。
【請求項５】
高負荷と判断された第２の基地局から低負荷と判断された第１の基地局へのハンドオーバタイミングを調整するためのハンドオーバパラメータを出力するハンドオーバパラメータ通知装置において、
標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶する記憶部と、
移動端末のハンドオーバの状況を把握する端末管理部と、
ハンドオーバパラメータの通知先である移動端末が任意の基地局から前記第２の基地局へハンドオーバを実行中である場合には前記標準ハンドオーバパラメータを出力し、そうでない場合には前記第２の変更ハンドオーバパラメータを出力する出力部と、
を備えたことを特徴とするハンドオーバパラメータ通知装置。
【請求項６】
高負荷と判断された第２の基地局から低負荷と判断された第１の基地局へのハンドオーバタイミングを調整するためのハンドオーバパラメータを出力するハンドオーバパラメータ通知装置において、
標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶する記憶部と、
移動端末に係る前記第２の基地局への接続時間を把握する端末管理部と、
ハンドオーバパラメータの通知先である移動端末の前記第２の基地局への直近の接続時間が規定値以内である場合には前記標準ハンドオーバパラメータを出力し、そうでない場合には前記第２の変更ハンドオーバパラメータを出力する出力部と、
を備えたことを特徴とするハンドオーバパラメータ通知装置。
【請求項７】
低負荷と判断された第１の基地局から高負荷と判断された第２の基地局へのハンドオーバタイミングを調整するためのハンドオーバパラメータを出力するハンドオーバパラメータ通知方法であって、
標準ハンドオーバタイミングよりも遅いハンドオーバタイミングに調整するための第１の変更ハンドオーバパラメータを記憶部に記憶する記憶ステップと、
移動端末のハンドオーバの状況を把握する端末管理ステップと、
ハンドオーバパラメータの通知先である移動端末が前記第２の基地局から前記第１の基地局へハンドオーバを実行中である場合には前記第１の変更ハンドオーバパラメータを出力する出力ステップと、
を含むことを特徴とするハンドオーバパラメータ通知方法。
【請求項８】
低負荷と判断された第１の基地局から高負荷と判断された第２の基地局へのハンドオーバタイミングを調整するためのハンドオーバパラメータを出力するハンドオーバパラメータ通知方法であって、
標準ハンドオーバタイミングよりも遅いハンドオーバタイミングに調整するための第１の変更ハンドオーバパラメータを記憶部に記憶する記憶ステップと、
移動端末に係る接続基地局および前記第１の基地局への接続時間を把握する端末管理ステップと、
ハンドオーバパラメータの通知先である移動端末の直前の接続基地局が前記第２の基地局であり、且つ、当該移動端末の前記第１の基地局への直近の接続時間が規定値以内である場合には前記第１の変更ハンドオーバパラメータを出力する出力ステップと、
を含むことを特徴とするハンドオーバパラメータ通知方法。
【請求項９】
高負荷と判断された第２の基地局から低負荷と判断された第１の基地局へのハンドオーバタイミングを調整するためのハンドオーバパラメータを出力するハンドオーバパラメータ通知方法であって、
標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、
移動端末のハンドオーバの状況を把握する端末管理ステップと、
ハンドオーバパラメータの通知先である移動端末が前記第１の基地局から前記第２の基地局へハンドオーバを実行中である場合には前記標準ハンドオーバパラメータを出力し、そうでない場合には前記第２の変更ハンドオーバパラメータを出力する出力ステップと、
を含むことを特徴とするハンドオーバパラメータ通知方法。
【請求項１０】
高負荷と判断された第２の基地局から低負荷と判断された第１の基地局へのハンドオーバタイミングを調整するためのハンドオーバパラメータを出力するハンドオーバパラメータ通知方法であって、
標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、
移動端末に係る接続基地局および前記第２の基地局への接続時間を把握する端末管理ステップと、
ハンドオーバパラメータの通知先である移動端末の直前の接続基地局が前記第１の基地局であり、且つ、当該移動端末の前記第２の基地局への直近の接続時間が規定値以内である場合には前記標準ハンドオーバパラメータを出力し、そうでない場合には前記第２の変更ハンドオーバパラメータを出力する出力ステップと、
を含むことを特徴とするハンドオーバパラメータ通知方法。
【請求項１１】
高負荷と判断された第２の基地局から低負荷と判断された第１の基地局へのハンドオーバタイミングを調整するためのハンドオーバパラメータを出力するハンドオーバパラメータ通知方法であって、
標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、
移動端末のハンドオーバの状況を把握する端末管理ステップと、
ハンドオーバパラメータの通知先である移動端末が任意の基地局から前記第２の基地局へハンドオーバを実行中である場合には前記標準ハンドオーバパラメータを出力し、そうでない場合には前記第２の変更ハンドオーバパラメータを出力する出力ステップと、
を含むことを特徴とするハンドオーバパラメータ通知方法。
【請求項１２】
高負荷と判断された第２の基地局から低負荷と判断された第１の基地局へのハンドオーバタイミングを調整するためのハンドオーバパラメータを出力するハンドオーバパラメータ通知方法であって、
標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、
移動端末に係る前記第２の基地局への接続時間を把握する端末管理ステップと、
ハンドオーバパラメータの通知先である移動端末の前記第２の基地局への直近の接続時間が規定値以内である場合には前記標準ハンドオーバパラメータを出力し、そうでない場合には前記第２の変更ハンドオーバパラメータを出力する出力ステップと、
を含むことを特徴とするハンドオーバパラメータ通知方法。
【請求項１３】
低負荷と判断された第１の基地局から高負荷と判断された第２の基地局へのハンドオーバタイミングを調整するためのハンドオーバパラメータを出力するハンドオーバパラメータ通知処理を行うためのコンピュータプログラムであって、
標準ハンドオーバタイミングよりも遅いハンドオーバタイミングに調整するための第１の変更ハンドオーバパラメータを記憶部に記憶する記憶ステップと、
移動端末のハンドオーバの状況を把握する端末管理ステップと、
ハンドオーバパラメータの通知先である移動端末が前記第２の基地局から前記第１の基地局へハンドオーバを実行中である場合には前記第１の変更ハンドオーバパラメータを出力する出力ステップと、
をコンピュータに実行させるためのコンピュータプログラム。
【請求項１４】
低負荷と判断された第１の基地局から高負荷と判断された第２の基地局へのハンドオーバタイミングを調整するためのハンドオーバパラメータを出力するハンドオーバパラメータ通知処理を行うためのコンピュータプログラムであって、
標準ハンドオーバタイミングよりも遅いハンドオーバタイミングに調整するための第１の変更ハンドオーバパラメータを記憶部に記憶する記憶ステップと、
移動端末に係る接続基地局および前記第１の基地局への接続時間を把握する端末管理ステップと、
ハンドオーバパラメータの通知先である移動端末の直前の接続基地局が前記第２の基地局であり、且つ、当該移動端末の前記第１の基地局への直近の接続時間が規定値以内である場合には前記第１の変更ハンドオーバパラメータを出力する出力ステップと、
をコンピュータに実行させるためのコンピュータプログラム。
【請求項１５】
高負荷と判断された第２の基地局から低負荷と判断された第１の基地局へのハンドオーバタイミングを調整するためのハンドオーバパラメータを出力するハンドオーバパラメータ通知処理を行うためのコンピュータプログラムであって、
標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、
移動端末のハンドオーバの状況を把握する端末管理ステップと、
ハンドオーバパラメータの通知先である移動端末が前記第１の基地局から前記第２の基地局へハンドオーバを実行中である場合には前記標準ハンドオーバパラメータを出力し、そうでない場合には前記第２の変更ハンドオーバパラメータを出力する出力ステップと、
をコンピュータに実行させるためのコンピュータプログラム。
【請求項１６】
高負荷と判断された第２の基地局から低負荷と判断された第１の基地局へのハンドオーバタイミングを調整するためのハンドオーバパラメータを出力するハンドオーバパラメータ通知処理を行うためのコンピュータプログラムであって、
標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、
移動端末に係る接続基地局および前記第２の基地局への接続時間を把握する端末管理ステップと、
ハンドオーバパラメータの通知先である移動端末の直前の接続基地局が前記第１の基地局であり、且つ、当該移動端末の前記第２の基地局への直近の接続時間が規定値以内である場合には前記標準ハンドオーバパラメータを出力し、そうでない場合には前記第２の変更ハンドオーバパラメータを出力する出力ステップと、
をコンピュータに実行させるためのコンピュータプログラム。
【請求項１７】
高負荷と判断された第２の基地局から低負荷と判断された第１の基地局へのハンドオーバタイミングを調整するためのハンドオーバパラメータを出力するハンドオーバパラメータ通知処理を行うためのコンピュータプログラムであって、
標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、
移動端末のハンドオーバの状況を把握する端末管理ステップと、
ハンドオーバパラメータの通知先である移動端末が任意の基地局から前記第２の基地局へハンドオーバを実行中である場合には前記標準ハンドオーバパラメータを出力し、そうでない場合には前記第２の変更ハンドオーバパラメータを出力する出力ステップと、
をコンピュータに実行させるためのコンピュータプログラム。
【請求項１８】
高負荷と判断された第２の基地局から低負荷と判断された第１の基地局へのハンドオーバタイミングを調整するためのハンドオーバパラメータを出力するハンドオーバパラメータ通知処理を行うためのコンピュータプログラムであって、
標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、
移動端末に係る前記第２の基地局への接続時間を把握する端末管理ステップと、
ハンドオーバパラメータの通知先である移動端末の前記第２の基地局への直近の接続時間が規定値以内である場合には前記標準ハンドオーバパラメータを出力し、そうでない場合には前記第２の変更ハンドオーバパラメータを出力する出力ステップと、
をコンピュータに実行させるためのコンピュータプログラム。
【発明の詳細な説明】
【技術分野】
【０００１】
本発明は、ハンドオーバパラメータ通知装置、ハンドオーバパラメータ通知方法およびコンピュータプログラムに関する。
【背景技術】
【０００２】
近年、標準化団体の３ＧＰＰ（3rd Generation Partnership Project）において、ＬＴＥ（Long Term Evolution）システムと呼ばれるセルラシステムの標準化作業が進められている。非特許文献１には、ＬＴＥシステムにおいて、ハンドオーバパラメータを用いて移動端末のハンドオーバタイミングを調整することにより、基地局間で負荷を分散する技術が記載されている。非特許文献２には、ＬＴＥシステムにおけるハンドオーバパラメータについて記載されている。
【０００３】
図８は、ハンドオーバパラメータを用いた基地局間負荷分散方法を説明するための概念図である。図８において、基地局ＢＳ１は、負荷が低いと判断された基地局である。基地局ＢＳ２は、負荷が高いと判断された基地局である。基地局の負荷は、基地局に接続する端末の台数、無線リソース使用率、基地局の主装置のＣＰＵ（中央演算処理装置）使用率などで表される。
【０００４】
図８の例において、基地局ＢＳ１、ＢＳ２間で負荷を分散するためには、高負荷の基地局ＢＳ２に接続する移動端末を低負荷の基地局ＢＳ１へハンドオーバさせることにより、高負荷の基地局ＢＳ２の負荷を減らすことが考えられる。このために、ハンドオーバパラメータを用いた基地局間負荷分散方法では、基地局ＢＳ１のセルＡと基地局ＢＳ２のセルＢの境界付近に在る移動端末ＭＳ１、ＭＳ２のうち、高負荷の基地局ＢＳ２に接続する移動端末ＭＳ１に対しては、基地局ＢＳ２から低負荷の基地局ＢＳ１へのハンドオーバタイミングを早くするように、ハンドオーバパラメータを設定する。一方、低負荷の基地局ＢＳ１に接続する移動端末ＭＳ２に対しては基地局ＢＳ１から高負荷の基地局ＢＳ２へのハンドオーバタイミングを遅くするように、ハンドオーバパラメータを設定する。
【先行技術文献】
【非特許文献】
【０００５】
【非特許文献１】3GPP, TS36.300, v9.8.0, 2011-09.
【非特許文献２】3GPP, TS36.331, v9.3.0, 2010-06.
【発明の概要】
【発明が解決しようとする課題】
【０００６】
しかし、上述したハンドオーバパラメータを用いた基地局間負荷分散方法では、以下の課題がある。
【０００７】
まず図８において、高負荷の基地局ＢＳ２に接続する移動端末ＭＳ１は、ハンドオーバタイミングが早くなることにより低負荷の基地局ＢＳ１にハンドオーバし易くなる一方、基地局ＢＳ１にハンドオーバした後に直ぐに基地局ＢＳ２へ再ハンドオーバすることを繰り返す「Ping-Pong ハンドオーバ」が発生し易くなる。
【０００８】
また、低負荷の基地局ＢＳ１に接続する移動端末ＭＳ２は、ハンドオーバタイミングが遅くなることにより高負荷の基地局ＢＳ２にハンドオーバし難くなる。しかしながら、セルＡからセルＢへ高速移動している移動端末ＭＳ２にとっては、ハンドオーバタイミングが遅くなることにより、基地局ＢＳ２へのハンドオーバが円滑に行われなくなる恐れがある。
【０００９】
また、高負荷の第２の基地局に接続している「高速移動中の移動端末」に対して、低負荷の基地局ＢＳ１へのハンドオーバタイミングを早くした場合には、低負荷の基地局ＢＳ１へハンドオーバしようとして失敗し、接続断した後に、基地局ＢＳ１及びＢＳ２とは異なる周辺の基地局へ再接続するハンドオーバ失敗事象「HO（Hand Over） to Wrong Cell」が通常より増加する可能性がある。
【００１０】
本発明は、このような事情を考慮してなされたもので、ハンドオーバパラメータを用いた基地局間負荷分散を行う場合に、「Ping-Pong ハンドオーバ」の防止や高速移動中のハンドオーバに適応することができる、ハンドオーバパラメータ通知装置、ハンドオーバパラメータ通知方法およびコンピュータプログラムを提供することを課題とする。
【課題を解決するための手段】
【００１１】
上記の課題を解決するために、本発明に係るハンドオーバパラメータ通知装置は、低負荷と判断された第１の基地局から高負荷と判断された第２の基地局へのハンドオーバタイミングを調整するためのハンドオーバパラメータを出力するハンドオーバパラメータ通知装置において、標準ハンドオーバタイミングよりも遅いハンドオーバタイミングに調整するための第１の変更ハンドオーバパラメータを記憶する記憶部と、移動端末のハンドオーバの状況を把握する端末管理部と、ハンドオーバパラメータの通知先である移動端末が前記第２の基地局から前記第１の基地局へハンドオーバを実行中である場合には前記第１の変更ハンドオーバパラメータを出力する出力部と、を備えたことを特徴とする。
【００１２】
本発明に係るハンドオーバパラメータ通知装置は、低負荷と判断された第１の基地局から高負荷と判断された第２の基地局へのハンドオーバタイミングを調整するためのハンドオーバパラメータを出力するハンドオーバパラメータ通知装置において、標準ハンドオーバタイミングよりも遅いハンドオーバタイミングに調整するための第１の変更ハンドオーバパラメータを記憶する記憶部と、移動端末に係る接続基地局および前記第１の基地局への接続時間を把握する端末管理部と、ハンドオーバパラメータの通知先である移動端末の直前の接続基地局が前記第２の基地局であり、且つ、当該移動端末の前記第１の基地局への直近の接続時間が規定値以内である場合には前記第１の変更ハンドオーバパラメータを出力する出力部と、を備えたことを特徴とする。
【００１３】
本発明に係るハンドオーバパラメータ通知装置は、高負荷と判断された第２の基地局から低負荷と判断された第１の基地局へのハンドオーバタイミングを調整するためのハンドオーバパラメータを出力するハンドオーバパラメータ通知装置において、標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶する記憶部と、移動端末のハンドオーバの状況を把握する端末管理部と、ハンドオーバパラメータの通知先である移動端末が前記第１の基地局から前記第２の基地局へハンドオーバを実行中である場合には前記標準ハンドオーバパラメータを出力し、そうでない場合には前記第２の変更ハンドオーバパラメータを出力する出力部と、を備えたことを特徴とする。
【００１４】
本発明に係るハンドオーバパラメータ通知装置は、高負荷と判断された第２の基地局から低負荷と判断された第１の基地局へのハンドオーバタイミングを調整するためのハンドオーバパラメータを出力するハンドオーバパラメータ通知装置において、標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶する記憶部と、移動端末に係る接続基地局および前記第２の基地局への接続時間を把握する端末管理部と、ハンドオーバパラメータの通知先である移動端末の直前の接続基地局が前記第１の基地局であり、且つ、当該移動端末の前記第２の基地局への直近の接続時間が規定値以内である場合には前記標準ハンドオーバパラメータを出力し、そうでない場合には前記第２の変更ハンドオーバパラメータを出力する出力部と、を備えたことを特徴とする。
【００１５】
本発明に係るハンドオーバパラメータ通知装置は、高負荷と判断された第２の基地局から低負荷と判断された第１の基地局へのハンドオーバタイミングを調整するためのハンドオーバパラメータを出力するハンドオーバパラメータ通知装置において、標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶する記憶部と、移動端末のハンドオーバの状況を把握する端末管理部と、ハンドオーバパラメータの通知先である移動端末が任意の基地局から前記第２の基地局へハンドオーバを実行中である場合には前記標準ハンドオーバパラメータを出力し、そうでない場合には前記第２の変更ハンドオーバパラメータを出力する出力部と、を備えたことを特徴とする。
【００１６】
本発明に係るハンドオーバパラメータ通知装置は、高負荷と判断された第２の基地局から低負荷と判断された第１の基地局へのハンドオーバタイミングを調整するためのハンドオーバパラメータを出力するハンドオーバパラメータ通知装置において、標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶する記憶部と、移動端末に係る前記第２の基地局への接続時間を把握する端末管理部と、ハンドオーバパラメータの通知先である移動端末の前記第２の基地局への直近の接続時間が規定値以内である場合には前記標準ハンドオーバパラメータを出力し、そうでない場合には前記第２の変更ハンドオーバパラメータを出力する出力部と、を備えたことを特徴とする。
【００１７】
本発明に係るハンドオーバパラメータ通知方法は、低負荷と判断された第１の基地局から高負荷と判断された第２の基地局へのハンドオーバタイミングを調整するためのハンドオーバパラメータを出力するハンドオーバパラメータ通知方法であって、標準ハンドオーバタイミングよりも遅いハンドオーバタイミングに調整するための第１の変更ハンドオーバパラメータを記憶部に記憶する記憶ステップと、移動端末のハンドオーバの状況を把握する端末管理ステップと、ハンドオーバパラメータの通知先である移動端末が前記第２の基地局から前記第１の基地局へハンドオーバを実行中である場合には前記第１の変更ハンドオーバパラメータを出力する出力ステップと、を含むことを特徴とする。
【００１８】
本発明に係るハンドオーバパラメータ通知方法は、低負荷と判断された第１の基地局から高負荷と判断された第２の基地局へのハンドオーバタイミングを調整するためのハンドオーバパラメータを出力するハンドオーバパラメータ通知方法であって、標準ハンドオーバタイミングよりも遅いハンドオーバタイミングに調整するための第１の変更ハンドオーバパラメータを記憶部に記憶する記憶ステップと、移動端末に係る接続基地局および前記第１の基地局への接続時間を把握する端末管理ステップと、ハンドオーバパラメータの通知先である移動端末の直前の接続基地局が前記第２の基地局であり、且つ、当該移動端末の前記第１の基地局への直近の接続時間が規定値以内である場合には前記第１の変更ハンドオーバパラメータを出力する出力ステップと、を含むことを特徴とする。
【００１９】
本発明に係るハンドオーバパラメータ通知方法は、高負荷と判断された第２の基地局から低負荷と判断された第１の基地局へのハンドオーバタイミングを調整するためのハンドオーバパラメータを出力するハンドオーバパラメータ通知方法であって、標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、移動端末のハンドオーバの状況を把握する端末管理ステップと、ハンドオーバパラメータの通知先である移動端末が前記第１の基地局から前記第２の基地局へハンドオーバを実行中である場合には前記標準ハンドオーバパラメータを出力し、そうでない場合には前記第２の変更ハンドオーバパラメータを出力する出力ステップと、を含むことを特徴とする。
【００２０】
本発明に係るハンドオーバパラメータ通知方法は、高負荷と判断された第２の基地局から低負荷と判断された第１の基地局へのハンドオーバタイミングを調整するためのハンドオーバパラメータを出力するハンドオーバパラメータ通知方法であって、標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、移動端末に係る接続基地局および前記第２の基地局への接続時間を把握する端末管理ステップと、ハンドオーバパラメータの通知先である移動端末の直前の接続基地局が前記第１の基地局であり、且つ、当該移動端末の前記第２の基地局への直近の接続時間が規定値以内である場合には前記標準ハンドオーバパラメータを出力し、そうでない場合には前記第２の変更ハンドオーバパラメータを出力する出力ステップと、を含むことを特徴とする。
【００２１】
本発明に係るハンドオーバパラメータ通知方法は、高負荷と判断された第２の基地局から低負荷と判断された第１の基地局へのハンドオーバタイミングを調整するためのハンドオーバパラメータを出力するハンドオーバパラメータ通知方法であって、標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、移動端末のハンドオーバの状況を把握する端末管理ステップと、ハンドオーバパラメータの通知先である移動端末が任意の基地局から前記第２の基地局へハンドオーバを実行中である場合には前記標準ハンドオーバパラメータを出力し、そうでない場合には前記第２の変更ハンドオーバパラメータを出力する出力ステップと、を含むことを特徴とする。
【００２２】
本発明に係るハンドオーバパラメータ通知方法は、高負荷と判断された第２の基地局から低負荷と判断された第１の基地局へのハンドオーバタイミングを調整するためのハンドオーバパラメータを出力するハンドオーバパラメータ通知方法であって、標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、移動端末に係る前記第２の基地局への接続時間を把握する端末管理ステップと、ハンドオーバパラメータの通知先である移動端末の前記第２の基地局への直近の接続時間が規定値以内である場合には前記標準ハンドオーバパラメータを出力し、そうでない場合には前記第２の変更ハンドオーバパラメータを出力する出力ステップと、を含むことを特徴とする。
【００２３】
本発明に係るコンピュータプログラムは、低負荷と判断された第１の基地局から高負荷と判断された第２の基地局へのハンドオーバタイミングを調整するためのハンドオーバパラメータを出力するハンドオーバパラメータ通知処理を行うためのコンピュータプログラムであって、標準ハンドオーバタイミングよりも遅いハンドオーバタイミングに調整するための第１の変更ハンドオーバパラメータを記憶部に記憶する記憶ステップと、移動端末のハンドオーバの状況を把握する端末管理ステップと、ハンドオーバパラメータの通知先である移動端末が前記第２の基地局から前記第１の基地局へハンドオーバを実行中である場合には前記第１の変更ハンドオーバパラメータを出力する出力ステップと、をコンピュータに実行させるためのコンピュータプログラムであることを特徴とする。
【００２４】
本発明に係るコンピュータプログラムは、低負荷と判断された第１の基地局から高負荷と判断された第２の基地局へのハンドオーバタイミングを調整するためのハンドオーバパラメータを出力するハンドオーバパラメータ通知処理を行うためのコンピュータプログラムであって、標準ハンドオーバタイミングよりも遅いハンドオーバタイミングに調整するための第１の変更ハンドオーバパラメータを記憶部に記憶する記憶ステップと、移動端末に係る接続基地局および前記第１の基地局への接続時間を把握する端末管理ステップと、ハンドオーバパラメータの通知先である移動端末の直前の接続基地局が前記第２の基地局であり、且つ、当該移動端末の前記第１の基地局への直近の接続時間が規定値以内である場合には前記第１の変更ハンドオーバパラメータを出力する出力ステップと、をコンピュータに実行させるためのコンピュータプログラムであることを特徴とする。
【００２５】
本発明に係るコンピュータプログラムは、高負荷と判断された第２の基地局から低負荷と判断された第１の基地局へのハンドオーバタイミングを調整するためのハンドオーバパラメータを出力するハンドオーバパラメータ通知処理を行うためのコンピュータプログラムであって、標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、移動端末のハンドオーバの状況を把握する端末管理ステップと、ハンドオーバパラメータの通知先である移動端末が前記第１の基地局から前記第２の基地局へハンドオーバを実行中である場合には前記標準ハンドオーバパラメータを出力し、そうでない場合には前記第２の変更ハンドオーバパラメータを出力する出力ステップと、をコンピュータに実行させるためのコンピュータプログラムであることを特徴とする。
【００２６】
本発明に係るコンピュータプログラムは、高負荷と判断された第２の基地局から低負荷と判断された第１の基地局へのハンドオーバタイミングを調整するためのハンドオーバパラメータを出力するハンドオーバパラメータ通知処理を行うためのコンピュータプログラムであって、標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、移動端末に係る接続基地局および前記第２の基地局への接続時間を把握する端末管理ステップと、ハンドオーバパラメータの通知先である移動端末の直前の接続基地局が前記第１の基地局であり、且つ、当該移動端末の前記第２の基地局への直近の接続時間が規定値以内である場合には前記標準ハンドオーバパラメータを出力し、そうでない場合には前記第２の変更ハンドオーバパラメータを出力する出力ステップと、をコンピュータに実行させるためのコンピュータプログラムであることを特徴とする。
【００２７】
本発明に係るコンピュータプログラムは、高負荷と判断された第２の基地局から低負荷と判断された第１の基地局へのハンドオーバタイミングを調整するためのハンドオーバパラメータを出力するハンドオーバパラメータ通知処理を行うためのコンピュータプログラムであって、標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、移動端末のハンドオーバの状況を把握する端末管理ステップと、ハンドオーバパラメータの通知先である移動端末が任意の基地局から前記第２の基地局へハンドオーバを実行中である場合には前記標準ハンドオーバパラメータを出力し、そうでない場合には前記第２の変更ハンドオーバパラメータを出力する出力ステップと、をコンピュータに実行させるためのコンピュータプログラムであることを特徴とする。
【００２８】
本発明に係るコンピュータプログラムは、高負荷と判断された第２の基地局から低負荷と判断された第１の基地局へのハンドオーバタイミングを調整するためのハンドオーバパラメータを出力するハンドオーバパラメータ通知処理を行うためのコンピュータプログラムであって、標準ハンドオーバタイミングに調整するための標準ハンドオーバパラメータ、及び、前記標準ハンドオーバタイミングよりも早いハンドオーバタイミングに調整するための第２の変更ハンドオーバパラメータを記憶部に記憶する記憶ステップと、移動端末に係る前記第２の基地局への接続時間を把握する端末管理ステップと、ハンドオーバパラメータの通知先である移動端末の前記第２の基地局への直近の接続時間が規定値以内である場合には前記標準ハンドオーバパラメータを出力し、そうでない場合には前記第２の変更ハンドオーバパラメータを出力する出力ステップと、をコンピュータに実行させるためのコンピュータプログラムことを特徴とする。
【発明の効果】
【００２９】
本発明によれば、ハンドオーバパラメータを用いた基地局間負荷分散を行う場合に、「Ping-Pong ハンドオーバ」の防止や高速移動中のハンドオーバに適応することができるという効果が得られる。
【図面の簡単な説明】
【００３０】
【図１】本発明の一実施形態に係るハンドオーバパラメータ通知装置１の構成例を示すブロック図である。
【図２】本発明に係るハンドオーバパラメータ通知処理の実施例１のフローチャートである。
【図３】本発明に係るハンドオーバパラメータ通知処理の実施例２のフローチャートである。
【図４】本発明に係るハンドオーバパラメータ通知処理の実施例３のフローチャートである。
【図５】本発明に係るハンドオーバパラメータ通知処理の実施例４のフローチャートである。
【図６】本発明に係るハンドオーバパラメータ通知処理の実施例５のフローチャートである。
【図７】本発明に係るハンドオーバパラメータ通知処理の実施例６のフローチャートである。
【図８】ハンドオーバパラメータを用いた基地局間負荷分散方法を説明するための概念図である。
【発明を実施するための形態】
【００３１】
以下、図面を参照し、本発明の実施形態について説明する。
図１は、本発明の一実施形態に係るハンドオーバパラメータ通知装置１の構成例を示すブロック図である。ハンドオーバパラメータ通知装置１は各基地局に具備される。ハンドオーバパラメータ通知装置１は、基地局から移動端末に通知するハンドオーバパラメータを出力する。ハンドオーバパラメータは、移動端末のハンドオーバタイミングを調整するための情報である。移動端末は、ハンドオーバパラメータに基づいて、ハンドオーバタイミングを決める。
【００３２】
図１において、ハンドオーバパラメータ通知装置１は、入力部１１と記憶部１２と出力部１３と基地局管理部１４と端末管理部１５を備える。入力部１１はデータを入力する。記憶部１２はデータを記憶する。出力部１３はデータを出力する。基地局管理部１４は基地局の管理を行う。端末管理部１５は移動端末の管理を行う。各部１１、１２、１３、１４、１５はデータを送受できるように接続されている。
【００３３】
以下、実施例を挙げて本実施形態に係るハンドオーバパラメータ通知装置１が行うハンドオーバパラメータ通知処理を説明する。なお、以下の実施例では、図８の例を用いる。図８の例では、基地局ＢＳ１が低負荷であると判断されてあり、基地局ＢＳ２が高負荷であると判断されてある。
【実施例１】
【００３４】
実施例１では、ハンドオーバパラメータ通知装置１は、基地局ＢＳ１（低負荷）から基地局ＢＳ２（高負荷）へのハンドオーバタイミングを調整するためのハンドオーバパラメータを出力する。このハンドオーバパラメータは、基地局ＢＳ１（低負荷）から移動端末へ通知される。
【００３５】
ハンドオーバパラメータ通知装置１の記憶部１２は、標準ハンドオーバパラメータ及び第１の変更ハンドオーバパラメータを記憶する。標準ハンドオーバパラメータは、移動端末のハンドオーバタイミングを標準ハンドオーバタイミングに調整するためのハンドオーバパラメータである。標準ハンドオーバタイミングは、ハンドオーバパラメータを用いた基地局間負荷分散を行わない場合など、通常状態で使用される所定のハンドオーバタイミングである。
【００３６】
第１の変更ハンドオーバパラメータは、標準ハンドオーバタイミングよりも遅いハンドオーバタイミングに調整するためのハンドオーバパラメータである。第１の変更ハンドオーバパラメータは、本実施形態に係るハンドオーバパラメータを用いた基地局間負荷分散方法に使用される。
【００３７】
標準ハンドオーバパラメータ及び第１の変更ハンドオーバパラメータは、予め記憶部１２に格納されていてもよく、又は、適宜、入力部１１により入力されて記憶部１２に格納され更新されてもよい。
【００３８】
基地局管理部１４は、基地局ＢＳ１の負荷の状態を把握する。基地局ＢＳ１の負荷の状態を示す基地局負荷データは入力部１１により入力される。本実施例１では、基地局管理部１４は、基地局負荷データに基づいて、基地局ＢＳ１が低負荷であることを把握する。
【００３９】
端末管理部１５は、移動端末のハンドオーバの状況を把握する。移動端末のハンドオーバの状況を示す端末ハンドオーバ状況データは、入力部１１により入力される。
【００４０】
図２は本発明に係るハンドオーバパラメータ通知処理の実施例１のフローチャートである。図２を参照して、実施例１に係るハンドオーバパラメータ通知装置１の動作を説明する。
【００４１】
（ステップＳ１１）
出力部１３は、移動端末へハンドオーバパラメータを通知するタイミングの判定を行う。この通知タイミングの判定は、端末管理部１５が把握した、移動端末のハンドオーバの状況、に基づいて行われる。
【００４２】
（ステップＳ１２）
出力部１３は、移動端末が基地局ＢＳ２（高負荷）から基地局ＢＳ１（低負荷）へハンドオーバを実行中であるか否かを判断する。この結果、当該ハンドオーバを実行中である場合にはステップＳ１３に進み、そうでない場合にはステップＳ１４に進む。
【００４３】
（ステップＳ１３）
出力部１３は、当該移動端末へ通知するハンドオーバパラメータとして、第１の変更ハンドオーバパラメータを記憶部１２から読み出して出力する。
【００４４】
（ステップＳ１４）
出力部１３は、当該移動端末へ通知するハンドオーバパラメータとして、標準ハンドオーバパラメータを記憶部１２から読み出して出力する。
【００４５】
これにより、図８において、基地局ＢＳ２（高負荷）から基地局ＢＳ１（低負荷）へハンドオーバしてくる移動端末ＭＳ１には、第１の変更ハンドオーバパラメータにより、基地局ＢＳ１（低負荷）から基地局ＢＳ２（高負荷）へのハンドオーバタイミングとして、標準ハンドオーバタイミングよりも遅いハンドオーバタイミングが設定されることになる。この結果、移動端末ＭＳ１は、基地局間負荷分散のために、基地局ＢＳ２（高負荷）から基地局ＢＳ１（低負荷）へ標準ハンドオーバタイミングよりも早いタイミングでハンドオーバを実施したが、基地局ＢＳ１（低負荷）から基地局ＢＳ２（高負荷）へのハンドオーバはしにくくなる。これにより、「Ping-Pong ハンドオーバ」を防止する効果が得られる。
【００４６】
また、基地局ＢＳ２（高負荷）から基地局ＢＳ１（低負荷）へハンドオーバしてくる移動端末ＭＳ１以外の移動端末には、標準ハンドオーバタイミングが設定される。これにより、基地局ＢＳ１（低負荷）から基地局ＢＳ２（高負荷）の方向へ高速移動している移動端末ＭＳ２は、標準ハンドオーバタイミングにより、基地局ＢＳ２へのハンドオーバを円滑に行うことができる。
【実施例２】
【００４７】
実施例２では、実施例１と同様に、ハンドオーバパラメータ通知装置１は、基地局ＢＳ１（低負荷）から基地局ＢＳ２（高負荷）へのハンドオーバタイミングを調整するためのハンドオーバパラメータを出力する。このハンドオーバパラメータは、基地局ＢＳ１（低負荷）から移動端末へ通知される。以下、実施例１と異なる点を主に説明する。
【００４８】
本実施例２では、記憶部１２は、標準ハンドオーバパラメータ、第１の変更ハンドオーバパラメータ及び端末接続履歴データを記憶する。端末接続履歴データは、移動端末が接続した基地局（接続基地局）と、その接続した時刻とを示す。端末管理部１５は、端末接続履歴データに基づいて、移動端末に係る接続基地局および基地局ＢＳ１（低負荷）への接続時間を把握する。端末接続履歴データは、入力部１１により入力される。
【００４９】
図３は本発明に係るハンドオーバパラメータ通知処理の実施例２のフローチャートである。図３を参照して、実施例２に係るハンドオーバパラメータ通知装置１の動作を説明する。
【００５０】
（ステップＳ２１）
端末管理部１５は、端末接続履歴データに基づいて、移動端末に係る接続基地局および基地局ＢＳ１（低負荷）への直近の接続時間を把握する。
【００５１】
（ステップＳ２２）
出力部１３は、端末管理部１５が把握した、移動端末に係る接続基地局、に基づいて、基地局ＢＳ２（高負荷）が直前の接続基地局であるか否かを判断する。この結果、基地局ＢＳ２（高負荷）が直前の接続基地局である場合にはステップＳ２３に進み、そうでない場合にはステップＳ２５に進む。
【００５２】
（ステップＳ２３）
出力部１３は、端末管理部１５が把握した、基地局ＢＳ１（低負荷）への直近の接続時間、に基づいて、該接続時間が規定値以内であるか否かを判断する。この結果、規定値以内である場合にはステップＳ２４に進み、そうでない場合にはステップＳ２５に進む。
【００５３】
（ステップＳ２４）
出力部１３は、当該移動端末へ通知するハンドオーバパラメータとして、第１の変更ハンドオーバパラメータを記憶部１２から読み出して出力する。
【００５４】
（ステップＳ２５）
出力部１３は、当該移動端末へ通知するハンドオーバパラメータとして、標準ハンドオーバパラメータを記憶部１２から読み出して出力する。
【００５５】
これにより、図８において、基地局ＢＳ２（高負荷）から基地局ＢＳ１（低負荷）へ直近の規定時間以内にハンドオーバした移動端末ＭＳ１には、第１の変更ハンドオーバパラメータにより、基地局ＢＳ１（低負荷）から基地局ＢＳ２（高負荷）へのハンドオーバタイミングとして、標準ハンドオーバタイミングよりも遅いハンドオーバタイミングが設定されることになる。この結果、移動端末ＭＳ１は、基地局間負荷分散のために、基地局ＢＳ２（高負荷）から基地局ＢＳ１（低負荷）へ標準ハンドオーバタイミングよりも早いタイミングでハンドオーバを実施したが、基地局ＢＳ１（低負荷）から基地局ＢＳ２（高負荷）へのハンドオーバはしにくくなる。これにより、「Ping-Pong ハンドオーバ」を防止する効果が得られる。
【００５６】
また、基地局ＢＳ２（高負荷）から基地局ＢＳ１（低負荷）へ直近の規定時間以内にハンドオーバした移動端末ＭＳ１以外の移動端末には、標準ハンドオーバタイミングが設定される。これにより、基地局ＢＳ１（低負荷）から基地局ＢＳ２（高負荷）の方向へ高速移動している移動端末ＭＳ２は、標準ハンドオーバタイミングにより、基地局ＢＳ２へのハンドオーバを円滑に行うことができる。
【実施例３】
【００５７】
実施例３では、ハンドオーバパラメータ通知装置１は、基地局ＢＳ２（高負荷）から基地局ＢＳ１（低負荷）へのハンドオーバタイミングを調整するためのハンドオーバパラメータを出力する。このハンドオーバパラメータは、基地局ＢＳ２（高負荷）から移動端末へ通知される。
【００５８】
ハンドオーバパラメータ通知装置１の記憶部１２は、標準ハンドオーバパラメータ及び第２の変更ハンドオーバパラメータを記憶する。標準ハンドオーバパラメータは実施例１と同様である。
【００５９】
第２の変更ハンドオーバパラメータは、標準ハンドオーバタイミングよりも早いハンドオーバタイミングに調整するためのハンドオーバパラメータである。第２の変更ハンドオーバパラメータは、本実施形態に係るハンドオーバパラメータを用いた基地局間負荷分散方法に使用される。
【００６０】
標準ハンドオーバパラメータ及び第２の変更ハンドオーバパラメータは、予め記憶部１２に格納されていてもよく、又は、適宜、入力部１１により入力されて記憶部１２に格納され更新されてもよい。
【００６１】
基地局管理部１４は、基地局ＢＳ２の負荷の状態を把握する。基地局ＢＳ２の負荷の状態を示す基地局負荷データは入力部１１により入力される。本実施例３では、基地局管理部１４は、基地局負荷データに基づいて、基地局ＢＳ２が高負荷であることを把握する。
【００６２】
端末管理部１５は、移動端末のハンドオーバの状況を把握する。移動端末のハンドオーバの状況を示す端末ハンドオーバ状況データは、入力部１１により入力される。
【００６３】
図４は本発明に係るハンドオーバパラメータ通知処理の実施例３のフローチャートである。図４を参照して、実施例３に係るハンドオーバパラメータ通知装置１の動作を説明する。
【００６４】
（ステップＳ３１）
出力部１３は、移動端末へハンドオーバパラメータを通知するタイミングの判定を行う。この通知タイミングの判定は、端末管理部１５が把握した、移動端末のハンドオーバの状況、に基づいて行われる。
【００６５】
（ステップＳ３２）
出力部１３は、移動端末が基地局ＢＳ１（低負荷）から基地局ＢＳ２（高負荷）へハンドオーバを実行中であるか否かを判断する。この結果、当該ハンドオーバを実行中である場合にはステップＳ３３に進み、そうでない場合にはステップＳ３４に進む。
【００６６】
（ステップＳ３３）
出力部１３は、当該移動端末へ通知するハンドオーバパラメータとして、標準ハンドオーバパラメータを記憶部１２から読み出して出力する。
【００６７】
（ステップＳ３４）
出力部１３は、当該移動端末へ通知するハンドオーバパラメータとして、第２の変更ハンドオーバパラメータを記憶部１２から読み出して出力する。
【００６８】
これにより、図８において、基地局ＢＳ１（低負荷）から基地局ＢＳ２（高負荷）へハンドオーバしてくる移動端末ＭＳ２以外には、第２の変更ハンドオーバパラメータにより、標準ハンドオーバタイミングよりも早いハンドオーバタイミングが設定されることになる。この結果、移動端末ＭＳ２は、基地局ＢＳ２（高負荷）から基地局ＢＳ１（低負荷）へハンドオーバし易くなるので、基地局ＢＳ２（高負荷）の負荷軽減に寄与できる。
【００６９】
また、基地局ＢＳ１（低負荷）から基地局ＢＳ２（高負荷）へハンドオーバしてくる移動端末ＭＳ２には、標準ハンドオーバタイミングが設定される。これにより、通常のハンドオーバ性能が得られる。
【実施例４】
【００７０】
実施例４では、実施例３と同様に、ハンドオーバパラメータ通知装置１は、基地局ＢＳ２（高負荷）から基地局ＢＳ１（低負荷）へのハンドオーバタイミングを調整するためのハンドオーバパラメータを出力する。このハンドオーバパラメータは、基地局ＢＳ２（高負荷）から移動端末へ通知される。以下、実施例３と異なる点を主に説明する。
【００７１】
本実施例３では、記憶部１２は、標準ハンドオーバパラメータ、第２の変更ハンドオーバパラメータ及び端末接続履歴データを記憶する。端末接続履歴データは実施例２と同様である。端末管理部１５は、端末接続履歴データに基づいて、移動端末に係る接続基地局および基地局ＢＳ２（高負荷）への接続時間を把握する。端末接続履歴データは、入力部１１により入力される。
【００７２】
図５は本発明に係るハンドオーバパラメータ通知処理の実施例４のフローチャートである。図５を参照して、実施例４に係るハンドオーバパラメータ通知装置１の動作を説明する。
【００７３】
（ステップＳ４１）
端末管理部１５は、端末接続履歴データに基づいて、移動端末に係る接続基地局および基地局ＢＳ２（高負荷）への直近の接続時間を把握する。
【００７４】
（ステップＳ４２）
出力部１３は、端末管理部１５が把握した、移動端末に係る接続基地局、に基づいて、基地局ＢＳ１（低負荷）が直前の接続基地局であるか否かを判断する。この結果、基地局ＢＳ１（低負荷）が直前の接続基地局である場合にはステップＳ４３に進み、そうでない場合にはステップＳ４５に進む。
【００７５】
（ステップＳ４３）
出力部１３は、端末管理部１５が把握した、基地局ＢＳ２（高負荷）への直近の接続時間、に基づいて、該接続時間が規定値以内であるか否かを判断する。この結果、規定値以内である場合にはステップＳ４４に進み、そうでない場合にはステップＳ４５に進む。
【００７６】
（ステップＳ４４）
出力部１３は、当該移動端末へ通知するハンドオーバパラメータとして、標準ハンドオーバパラメータを記憶部１２から読み出して出力する。
【００７７】
（ステップＳ４５）
出力部１３は、当該移動端末へ通知するハンドオーバパラメータとして、第２の変更ハンドオーバパラメータを記憶部１２から読み出して出力する。
【００７８】
これにより、図８において、基地局ＢＳ１（低負荷）から基地局ＢＳ２（高負荷）へ直近の規定時間以内にハンドオーバした移動端末ＭＳ２以外には、第２の変更ハンドオーバパラメータにより、標準ハンドオーバタイミングよりも早いハンドオーバタイミングが設定されることになる。この結果、移動端末ＭＳ２は、基地局ＢＳ２（高負荷）から基地局ＢＳ１（低負荷）へハンドオーバし易くなるので、基地局ＢＳ２（高負荷）の負荷軽減に寄与できる。
【００７９】
また、基地局ＢＳ１（低負荷）から基地局ＢＳ２（高負荷）へ直近の規定時間以内にハンドオーバした移動端末ＭＳ２には、標準ハンドオーバタイミングが設定される。これにより、通常のハンドオーバ性能が得られる。
【実施例５】
【００８０】
実施例５では、ハンドオーバパラメータ通知装置１は、基地局ＢＳ２（高負荷）から基地局ＢＳ１（低負荷）へのハンドオーバタイミングを調整するためのハンドオーバパラメータを出力する。このハンドオーバパラメータは、基地局ＢＳ２（高負荷）から移動端末へ通知される。本実施例５では、ハンドオーバ失敗事象「HO to Wrong Cell」が通常より増加することを防止することを目的とする。以下、実施例３と異なる点を主に説明する。
【００８１】
ハンドオーバパラメータ通知装置１の記憶部１２は、実施例３と同様に、標準ハンドオーバパラメータ及び第２の変更ハンドオーバパラメータを記憶する。基地局管理部１４は、実施例３と同様に、基地局負荷データに基づいて、基地局ＢＳ２が高負荷であることを把握する。端末管理部１５は、実施例３と同様に、移動端末のハンドオーバの状況を把握する。
【００８２】
図６は本発明に係るハンドオーバパラメータ通知処理の実施例５のフローチャートである。図６を参照して、実施例５に係るハンドオーバパラメータ通知装置１の動作を説明する。
【００８３】
（ステップＳ５１）
出力部１３は、移動端末へハンドオーバパラメータを通知するタイミングの判定を行う。この通知タイミングの判定は、端末管理部１５が把握した、移動端末のハンドオーバの状況、に基づいて行われる。
【００８４】
（ステップＳ５２）
出力部１３は、移動端末が任意の基地局ＢＳ３から基地局ＢＳ２（高負荷）へハンドオーバを実行中であるか否かを判断する。この結果、当該ハンドオーバを実行中である場合にはステップＳ５３に進み、そうでない場合にはステップＳ５４に進む。
【００８５】
（ステップＳ５３）
出力部１３は、当該移動端末へ通知するハンドオーバパラメータとして、標準ハンドオーバパラメータを記憶部１２から読み出して出力する。
【００８６】
（ステップＳ５４）
出力部１３は、当該移動端末へ通知するハンドオーバパラメータとして、第２の変更ハンドオーバパラメータを記憶部１２から読み出して出力する。
【００８７】
これにより、任意の基地局ＢＳ３から基地局ＢＳ２（高負荷）へハンドオーバしてくる移動端末には、標準ハンドオーバパラメータにより、標準ハンドオーバタイミングが設定される。これにより、通常のハンドオーバ性能が得られるので、ハンドオーバ失敗事象「HO to Wrong Cell」が通常より増加することを防止できる。
【実施例６】
【００８８】
実施例６では、実施例５と同様に、ハンドオーバパラメータ通知装置１は、基地局ＢＳ２（高負荷）から基地局ＢＳ１（低負荷）へのハンドオーバタイミングを調整するためのハンドオーバパラメータを出力する。このハンドオーバパラメータは、基地局ＢＳ２（高負荷）から移動端末へ通知される。本実施例６では、実施例５と同様に、ハンドオーバ失敗事象「HO to Wrong Cell」が通常より増加することを防止することを目的とする。以下、実施例５と異なる点を主に説明する。
【００８９】
本実施例６では、記憶部１２は、標準ハンドオーバパラメータ、第２の変更ハンドオーバパラメータ及び端末接続履歴データを記憶する。端末接続履歴データは実施例２と同様である。端末管理部１５は、端末接続履歴データに基づいて、移動端末に係る基地局ＢＳ２（高負荷）への接続時間を把握する。端末接続履歴データは、入力部１１により入力される。
【００９０】
図７は本発明に係るハンドオーバパラメータ通知処理の実施例６のフローチャートである。図７を参照して、実施例６に係るハンドオーバパラメータ通知装置１の動作を説明する。
【００９１】
（ステップＳ６１）
端末管理部１５は、端末接続履歴データに基づいて、移動端末に係る基地局ＢＳ２（高負荷）への直近の接続時間を把握する。
【００９２】
（ステップＳ６２）
出力部１３は、端末管理部１５が把握した、基地局ＢＳ２（高負荷）への直近の接続時間、に基づいて、該接続時間が規定値以内であるか否かを判断する。この結果、規定値以内である場合にはステップＳ６３に進み、そうでない場合にはステップＳ６４に進む。
【００９３】
（ステップＳ６３）
出力部１３は、当該移動端末へ通知するハンドオーバパラメータとして、標準ハンドオーバパラメータを記憶部１２から読み出して出力する。
【００９４】
（ステップＳ６４）
出力部１３は、当該移動端末へ通知するハンドオーバパラメータとして、第２の変更ハンドオーバパラメータを記憶部１２から読み出して出力する。
【００９５】
これにより、任意の基地局から基地局ＢＳ２（高負荷）へ直近の規定時間以内にハンドオーバした移動端末には、標準ハンドオーバパラメータにより、標準ハンドオーバタイミングが設定される。これにより、通常のハンドオーバ性能が得られるので、ハンドオーバ失敗事象「HO to Wrong Cell」が通常より増加することを防止できる。
【００９６】
上述した実施形態によれば、ハンドオーバパラメータを用いた基地局間負荷分散を行う場合に、「Ping-Pong ハンドオーバ」の防止や高速移動中のハンドオーバに適応することができるという効果が得られる。
【００９７】
以上、本発明の実施形態について図面を参照して詳述してきたが、具体的な構成はこの実施形態に限られるものではなく、本発明の要旨を逸脱しない範囲の設計変更等も含まれる。例えば、上記実施例１、２、３又は４を組合せてもよい。
【００９８】
また、図２、図３、図４、図５、図６又は図７に示す各ステップを実現するためのプログラムをコンピュータ読み取り可能な記録媒体に記録して、この記録媒体に記録されたプログラムをコンピュータシステムに読み込ませ、実行することにより、ハンドオーバパラメータ通知処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００９９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１００】
１…ハンドオーバパラメータ通知装置、１１…入力部、１２…記憶部、１３…出力部、１４…基地局管理部、１５…端末管理部
【図１】
2014086915.tif 000003
【図２】
2014086915.tif 000004
【図３】
2014086915.tif 000005
【図４】
2014086915.tif 000006
【図５】
2014086915.tif 000007
【図６】
2014086915.tif 000008
【図７】
2014086915.tif 000009
【図８】
2014086915.tif 000010